(57)【要約】【課題】操作性の悪化やコストアップを招くことなくジャム除去性を高める。【解決手段】用紙を搬送するための搬送路Ｒ１と当該搬送路を開放するための開閉カバー１３とを有する装置本体１と、開閉カバー１３に隣接して装置本体１の側部に開閉可能に装着される用紙反転ユニット１５とを備えたもので、開閉カバー１３と用紙反転ユニット１５を互いに独立に開閉可能に設けるとともに、開閉カバー１３の開閉支点となる支軸１４を、装置本体１の外形位置よりも外側で用紙反転ユニット１５の開閉支点と同軸上に設定した。【選択図】　　　　図１
2004029271.tif 000002
【特許請求の範囲】
【請求項１】
用紙を搬送するための搬送路と当該搬送路を開放するための開閉カバーとを有する装置本体と、
前記開閉カバーに隣接して前記装置本体の側部に開閉可能に装着される第１のモジュールユニットとを備えたもので、
前記開閉カバーと前記第１のモジュールユニットを互いに独立に開閉可能に設けるとともに、前記開閉カバーの開閉支点を前記装置本体の外形位置よりも外側に設定してなる
ことを特徴とする画像形成装置。
【請求項２】
前記開閉カバーの開閉支点を前記第１のモジュールユニットの開閉支点と同一軸上に設定してなる
ことを特徴とする請求項１記載の画像形成装置。
【請求項３】
前記第１のモジュールユニットの下部に位置して前記装置本体の側部に設けられた第２のモジュールユニットを具備するとともに、
前記開閉カバーの開閉支点と前記第１のモジュールユニットの回転支点を前記第２のモジュールユニットに一体に設けてなる
ことを特徴とする請求項１記載の画像形成装置。
【請求項４】
前記開閉カバーの開閉支点と前記第１のモジュールユニットの回転支点を前記装置本体に取り付けられた装置運搬用の把手部材に設けてなる
ことを特徴とする請求項１記載の画像形成装置。
【発明の詳細な説明】
【０００１】
【発明の属する技術分野】
本発明は、複写機、プリンタ等の画像形成装置に関する。
【０００２】
【従来の技術】
電子写真方式を用いた小型の画像形成装置の中には、用紙トレイから送り出された用紙を縦方向に搬送し、この搬送途中で用紙に画像を形成（転写）した後、排出トレイに用紙を排出する構成としたものがある。また、この種の画像形成装置には、搬送中での用紙詰まり（ジャム）の発生に容易に対応できるよう、装置本体にジャム除去用の開閉カバーを設けたものがある。
【０００３】
図６は従来の画像形成装置の構成例を示す概略図である。図６において、装置本体５１の内部には、２つの用紙トレイ５２，５２が２段に収容されている。各々の用紙トレイ５２の一端側には給紙機構５３が設けられている。給紙機構５３による用紙の送り出し方向には搬送路Ｒ１が形成されている。また搬送路Ｒ１上には、搬送ロール５５、レジストロール５６、感光体ドラム５７、転写ロール５８、定着器５９、搬送ロール６０、排出ロール６１が設けられている。
【０００４】
一方、装置本体５１の上部には排出トレイ６２が形成されている。また、装置本体５１の側部には開閉カバー６３が設けられている。開閉カバー６３は、装置本体５１内の支軸６４を中心に開閉可能に設けられている。また、開閉カバー６３の外側には用紙反転ユニット６５が装着されている。用紙反転ユニット６５の内部には反転路Ｒ２が形成されている。反転路Ｒ２上には適当な距離を隔てて複数の搬送ロール６６が配置されている。
【０００５】
さらに、装置本体５１の側部には、用紙反転ユニット６５の下部に位置して手差しユニット６７が設けられている。手差しユニット６７は、手差しトレイ６８と給紙機構６９によって構成されている。この手差しユニット６７では、手差しトレイ６８にセットされた用紙を給紙機構６９によって一枚ずつ給送する。
【０００６】
上記構成からなる画像形成装置においては、上段の用紙トレイ５２に収容された用紙５４が給紙機構５３によって搬送路Ｒ１上に送り出され、レジストロール５６のニップ位置へと達する。また、下段の用紙トレイ５２に収容された用紙５４は給紙機構５３によって搬送路Ｒ１上に送り出された後、搬送ロール５５により上方に搬送されてレジストロール５６のニップ位置へと達する。このとき、レジストロール５６では、感光体ドラム５７に形成される画像との位置合わせのために、用紙の送り込みタイミングが調整される。こうしてタイミング調整された用紙５４は、感光体ドラム５７と転写ロール５８のニップ位置に送られる。これにより、感光体ドラム５７から用紙５４に画像が転写される。次いで、用紙５４は、定着器５９に送られ、そこで加圧・加熱作用により画像の定着処理がなされる。続いて、用紙５４は、定着器５９から排出ロール６１に送られ、この排出ロール６１にニップされた状態となる。このとき、画像形成装置の動作モードが片面コピーや片面プリントなどの片面記録モードに設定されていると、用紙５４は排出ロール６１によって排出トレイ６２に排出される。
【０００７】
これに対して、画像形成装置の動作モードが両面コピーや両面プリントなどの両面記録モードに設定されていると、用紙５４が排出トレイ６２に排出される直前で、排出ロール６１の回転方向が反転する。これにより、用紙５４は、搬送ロール６０に送られ、この搬送ロール６０を経由して用紙反転ユニット６５の反転路Ｒ２に送り込まれる。その後、用紙５４は、用紙反転ユニット６５内を各々の搬送ロール６６によって反転路Ｒ２に沿って搬送された後、搬送路Ｒ１上のレジストロール５６へと受け渡される。
【０００８】
その後、用紙５４は、上記同様にレジストロール５６でタイミング調整されて感光体ドラム５７と転写ロール５８のニップ位置に送り込まれる。これにより、用紙５４のもう一方の面に画像が転写される。次いで、用紙５４は、定着器５９に送られ、そこで上記同様に加圧・加熱作用によって画像の定着処理がなされる。続いて、用紙５４は、定着器５９から搬送ロール６０へと送られ、この搬送ロール６０にニップされた状態となる。次いで、用紙５４が用紙反転ユニット６５に完全に取り込まれる直前で、搬送ロール６０の回転方向が反転する。これにより、用紙５４は、排出ロール６１に送られ、この排出ロール６１によって排出トレイ６２に排出される。その結果、両面記録モード時においては、最初に画像が転写された面を下向きにした状態で用紙５４が排出トレイ６２に排出される。なお、ここでは両面記録モードの場合を例に挙げて説明したが、片面記録モードでも用紙５４を表裏反転して排出トレイ６２に排出させることが可能である。また、手差しユニット６７から用紙を給送する場合も、上記同様の手順で用紙の片面又は両面に画像が形成される。
【０００９】
ところで、用紙反転ユニット６５は、画像形成装置に対してオプション仕様で装備される場合と標準仕様で装備される場合が考えられるが、いずれの場合も、装置本体５１内に収容される用紙トレイ５２との位置関係や縦向きの搬送路Ｒ１との位置関係により、装置本体５１から外側にはみ出した状態で装着されることが多い。また、各々の用紙トレイ５２に収容された用紙５４と手差しユニット６７にセットされた用紙を、それぞれ共通の搬送路Ｒ１に向けてスムーズに給送しようとすると、用紙トレイ５２と手差しユニット６７の配置が自ずと横並びになる。そうした場合、装置本体１の側部では、用紙反転ユニット６５の下部に手差しユニット６７が配置されることになる。
【００１０】
このような位置関係では、開閉カバー６３が用紙反転ユニット６５によって覆われるため、支軸６４を回動支点として開閉カバー６３を開けるには、それに先立って用紙反転ユニット６５を開ける必要がある。そこで従来の画像形成装置では、用紙反転ユニット６５の下端部から下方に支持ブラケット７０を延設し、この支持ブラケット７０の延出端を支軸７１に回動自在に係合することにより、支軸７１を開閉支点として用紙反転ユニット６５を開閉可能に支持している。これにより、搬送路Ｒ１上で用紙詰まりが発生した場合は、図７に示すように、支軸７１を中心に用紙反転ユニット６５を開けた後、支軸５４を中心に開閉カバー６３を開けて搬送路Ｒ１を開放することにより、用紙詰まりの原因となったジャム紙を搬送路Ｒ１から取り除くことができる。
【００１１】
【発明が解決しようとする課題】
しかしながら上記従来の画像形成装置においては、次のような欠点があった。即ち、用紙反転ユニット６５と開閉カバー６３を順に開けたときに、用紙反転ユニット６５の開き角度は手差しユニット６７の存在によって制限され、開閉カバー６３の開き角度は用紙反転ユニット６５の存在によって制限される。そのため、搬送路Ｒ１の開放度合いが小さく、良好なジャム除去性が得られなかった。また、カバー開閉操作を簡素化するために、用紙反転ユニット６５と一緒（同時）に開閉カバー６３を閉じるようにすると、閉じ途中における相対位置のずれによって両者の当接部分Ｓに擦れが生じる。そのため、開閉カバー６３と用紙反転ユニット６５が傷付いてしまう。特に、開閉カバー６３は、装置本体５１から用紙反転ユニット６５を取り外したときに外部に露出するため、カバー表面の傷（擦れ傷）は外見上の品質を著しく低下させる要因となる。
【００１２】
そこで従来においては、開閉カバー６３と用紙反転ユニット６５とを一体化して一つのユニットとし、この一体化ユニットを装置本体の側部に開閉可能に設けた画像形成装置も提案されている。しかしながら、開閉カバー６３と用紙反転ユニット６５を一体化したものでは、ユニット全体が大きくて重いものとなるため、開閉操作がしずらくなる。また、強度アップや安全性確保のための部品（補強部品、ダンパ部品など）を追加する必要が生じ、コストアップを招いてしまう。
【００１３】
【課題を解決するための手段】
本発明に係る画像形成装置は、用紙を搬送するための搬送路と当該搬送路を開放するための開閉カバーとを有する装置本体と、開閉カバーに隣接して装置本体の側部に開閉可能に装着される第１のモジュールユニットとを備えたもので、開閉カバーと第１のモジュールユニットを互いに独立に開閉可能に設けるとともに、開閉カバーの開閉支点を装置本体の外形位置よりも外側に設定した構成となっている。
【００１４】
上記構成からなる画像形成装置においては、開閉カバーと第１のモジュールユニットを互いに独立に開閉可能に設けるとともに、開閉カバーの開閉支点を装置本体の外形位置よりも外側に設定することにより、開閉カバーと第１のモジュールユニットの開閉操作が容易になるとともに、開閉カバーを開けたときに装置本体の搬送路を大きく開放することが可能となる。
【００１５】
【発明の実施の形態】
以下、本発明の実施の形態について図面を参照しつつ詳細に説明する。
【００１６】
図１は本発明の実施形態に係る画像形成装置の構成例を示す概略図である。図１において、装置本体１の内部には、２つの用紙トレイ２，２が２段で収容されている。各々の用紙トレイ２の一端側には給紙機構３が設けられている。給紙機構３は、用紙トレイ２に積載状態で収容された用紙４をその最上位から順に一枚ずつ分離して給送するもので、ナジャーロール、フィードロール及びリタードロールを用いて構成されている。給紙機構３による用紙の送り出し方向には搬送路Ｒ１が形成されている。この搬送路Ｒ１は、装置本体１の片側に縦向きに形成されている。また搬送路Ｒ１上には、搬送ロール５、レジストロール６、感光体ドラム７、転写ロール８、定着器９、搬送ロール１０、排出ロール１１等が設けられている。また、図示はしないが、感光体ドラム７の周辺部には、画像形成のための一機能部として、帯電器、レーザ書き込み装置、現像器、クリーナ等が設けられている。
【００１７】
一方、装置本体１の上部には排出トレイ１２が形成されている。また、装置本体１の側部には開閉カバー１３が設けられている。開閉カバー１３は、紙詰まり除去用のカバーであって、装置本体１に対して開閉可能に設けられている。開閉カバー１３の外面は装置本体１の外形部分と面一になるように形成され、開閉カバー１３の内面は搬送路Ｒ１に沿うように形成されている。また、開閉カバー１３の外側には、これに隣接するように用紙反転ユニット１５が装着されている。この用紙反転ユニット１５は、本発明における第１のモジュールユニットに相当するものである。用紙反転ユニット１５の内部には反転路Ｒ２が形成されている。反転路Ｒ２は、装置本体１の片側で搬送路Ｒ１とループ状に接続するように形成されている。また、反転路Ｒ２上には適当な距離を隔てて複数（図例では３つ）の搬送ロール１６が配置されている。
【００１８】
さらに、装置本体１の側部には、用紙反転ユニット１５の下部に位置して手差しユニット１７が設けられている。この手差しユニット１７は、本発明における第２のモジュールユニットに相当するもので、手差しトレイ１８と給紙機構１９によって構成されている。手差しトレイ１８は、用紙反転ユニット１５よりも装置本体１の外側に大きく突出した状態で配置されている。給紙機構１９は、ナジャーロール、フィードロール及びリタードパッドを用いて構成されている。この手差しユニット１７では、手差しトレイ１８にセットされた用紙を給紙機構１９によって一枚ずつ給送する。
【００１９】
ここで、本発明の実施形態に係る画像形成装置においては、装置本体１に対して開閉カバー１３と用紙反転ユニット１５を独立に開閉可能に設けるとともに、開閉カバー１３の開閉支点を装置本体１の外形位置よりも外側に設定した構成を採用している。装置本体１の外形位置とは、当該装置本体１の外郭部分を示す位置であって、図１に示す構成例では装置本体１と用紙反転ユニット１５との境界位置（Ｐ−Ｐ位置）を装置本体１の外形位置とし、この外形位置よりも外側（図１の左側）に開閉カバー１３の開閉支点を設定している。
【００２０】
また本実施形態においては、開閉カバー１３の開閉支点を用紙反転ユニット１５の開閉支点と同軸上に設定するとともに、各々の開閉支点を共通の支軸１４によって構成している。また、支軸１４については、手差しユニット１７に一体に設けた構成を採用している。手差しユニット１７は、装置本体１の側部で、当該装置本体５１の外形部分（Ｐ−Ｐ位置）から外側に突出した状態で設けられている。これに対して、上記開閉支点を構成する支軸１４は、手差しユニット１７との位置的な干渉を避けるべく、図２に示すように、手差しユニット１７の両側に設けられている。
【００２１】
また、開閉カバー１３の下端部からは上記支軸１４に向けて支持ブラケット２０が斜め下方に延出し、用紙反転ユニット１５の下端部からも上記支軸１４に向けて支持ブラケット２１が下方に延出している。支持ブラケット２０は、例えば、開閉カバー１３と一体に成形（樹脂成形等）されたり、開閉カバー１３にネジ、接着等の固定手段で固定されることにより、開閉カバー１３と一体化されたものである。同様に、支持ブラケット２１は、用紙反転ユニット１５と一体に成形されたり、用紙反転ユニット１５にネジ、接着等の固定手段で固定されることにより、用紙反転ユニット１５と一体化されたものである。各々の支持ブラケット２０，２１の延出端にはそれぞれ係合孔（不図示）が形成され、この係合孔を支軸２４に嵌合させた状態で、各々の支持ブラケット２０，２１が共通の支軸１４によって回動自在に係合されている。これにより、開閉カバー１３及び用紙反転ユニット１５は、手差しユニット１７と位置的に干渉することなく、共通の開閉支点（支軸１４）を中心として独立（個別）に開閉可能に支持されている。
【００２２】
また、装置本体１の外側における支軸１４の位置は、装置本体１の外形位置（Ｐ−Ｐ）を基準して、そこから外側に所定の距離Ｌを隔てた位置に設定されている。ここで記述する所定の距離Ｌは、開閉支点となる支軸１４を中心に開閉カバー１３を開けて搬送路Ｒ１を開放し、当該搬送路Ｒ１に詰まったジャム紙を除去する際のジャム除去性を考慮して適宜設定されるものである。また、所定の距離Ｌは、支軸１４を中心に開閉カバー１３を開けたときに、開閉カバー１３が手差しユニット１７と位置的に干渉（接触）しないよう、両者の位置関係を考慮して設定されるものである。さらに、所定の距離Ｌは、開閉カバー１３の開閉支点を用紙反転ユニット１５の開閉支点と同一軸上に設定するにあたって、支軸１４を中心に用紙反転ユニット１５を開けたときに、用紙反転ユニット１５が手差しユニット１７と位置的に干渉しないよう、両者の位置関係を考慮して設定されるものである。
【００２３】
また、指の挟み込み防止などのユーザの安全性を考慮すると、用紙反転ユニット１５と手差しユニット１７との隙間は、支軸１４を開閉支点として用紙反転ユニット１５を開閉操作した場合に、ユーザの指先が入り込まない程度に狭く設定されることが望ましい。さらに、上記隙間は、用紙反転ユニット１５の開閉操作中に常に一定に維持されることが望ましい。
【００２４】
続いて、上記構成からなる画像形成装置の動作について説明する。先ず、上段の用紙トレイ２に収容された用紙４が給紙機構３によって搬送路Ｒ１上に送り出され、レジストロール６のニップ位置へと達する。また、下段の用紙トレイ２に収容された用紙４は給紙機構３によって搬送路Ｒ１上に送り出された後、搬送ロール５により上方に搬送されてレジストロール６のニップ位置へと達する。このとき、レジストロール６では、感光体ドラム７に形成される画像との位置合わせのために、用紙の送り込みタイミングが調整される。こうしてタイミング調整された用紙４は、感光体ドラム７と転写ロール８のニップ位置に送られる。これにより、感光体ドラム７から用紙４に画像が転写される。次いで、用紙４は定着器９に送られ、そこで加圧・加熱作用により画像の定着処理がなされる。続いて、用紙４は、定着器９から排出ロール１１へと送られ、この排出ロール１１でニップされた状態となる。このとき、画像形成装置の動作モードが片面コピーや片面プリントなどの片面記録モードに設定されていると、用紙４は排出ロール１１によって排出トレイ１２に排出される。
【００２５】
これに対して、画像形成装置の動作モードが両面コピーや両面プリントなどの両面記録モードに設定されていると、用紙４が排出トレイ１２に完全に排出される直前（換言すると、用紙４の後端が排出ロール１１のニップ位置を通過する直前）で、排出ロール１１の回転方向が反転する。これにより、用紙４は、搬送ロール１０に送られ、この搬送ロール１０を経由して用紙反転ユニット１５の反転路Ｒ２に送り込まれる。その後、用紙４は、用紙反転ユニット１５内を各々の搬送ロール６によって反転路Ｒ２に沿って搬送された後、搬送路Ｒ１上のレジストロール６へと受け渡される。
【００２６】
その後、用紙４は、上記同様にレジストロール６でタイミング調整されて感光体ドラム７と転写ロール８のニップ位置に送り込まれる。これにより、用紙４のもう一方の面に画像が転写される。次いで、用紙４は定着器９に送られ、そこで上記同様に加圧・加熱作用によって画像の定着処理がなされる。続いて、用紙４は、定着器９から搬送ロール１０へと送られ、この搬送ロール１０にニップされた状態となる。次いで、用紙４が用紙反転ユニット１５に完全に取り込まれる直前（換言すると、用紙４の後端が搬送ロール１０のニップ位置を通過する直前）で、搬送ロール１０の回転方向が反転する。これにより、用紙４は、排出ロール１１に送られ、この排出ロール１１によって排出トレイ１２に排出される。その結果、両面記録モード時においては、最初に画像が転写された面を下向きにした状態で用紙４が排出トレイ１２に排出される。なお、ここでは両面記録モードの場合を例に挙げて説明したが、片面記録モードでも用紙４を表裏反転して排出トレイ２に排出させることが可能である。また、手差しユニット１７から用紙を給送する場合も、上記同様の手順で用紙の片面又は両面に画像が形成される。
【００２７】
このような画像形成動作中に搬送路Ｒ１上で用紙詰まりが発生して画像形成装置の動作が停止した場合、ユーザは、図３に示すように用紙反転ユニット１５を開ける。このとき、用紙反転ユニット１５は、支軸１４を中心に回動しつつ、装置本体１から離間するように斜めに傾く。また、装置本体１の側部では、開閉カバー１３の外面が外部に露出した状態となる。
【００２８】
続いて、ユーザは、図４に示すように開閉カバー１３を開ける。このとき、開閉カバー１３は、支軸１４を中心に回動しつつ、装置本体１から離間するように斜めに傾いて用紙反転ユニット１５に当接し、そのまま用紙反転ユニット１５で支持される。また、支軸１４に近い開閉カバー１３の下端部は、当該支軸１４を中心に装置本体１から離れる方向（図の左方向）に大きく移動する。そのため、従来のように開閉カバーの開閉支点を装置本体内に設けた場合に比較すると、装置本体１内の搬送路Ｒ１がより大きく開放された状態となる。したがって、搬送路Ｒ１に詰まったジャム紙を容易に除去することができる。
【００２９】
その後、ジャム除去作業を終えたユーザは、開閉カバー１３と用紙反転ユニット１５を順に閉じる。このとき、カバー開閉操作を簡素化するために、用紙反転ユニット１５と一緒（同時）に開閉カバー１３を閉じた場合でも、両者の開閉支点が共通の支軸１４をもって同一軸上に設定されているため、閉じ途中で両者の相対位置がずれることがない。したがって、開閉操作時の擦れによる傷付きを確実に防止し、外観上の品質を良好に維持することができる。また、開閉カバー１３と用紙反転ユニット１５を個別に開閉できるため、従来のように開閉カバーと用紙反転ユニットを一体化した場合の重量増加による開閉操作性の悪化や追加部品によるコストアップを招くこともない。
【００３０】
また、開閉カバー１３及び用紙反転ユニット１５の開閉支点となる支軸１４を手差しユニット１７に一体に設けることにより、開閉カバー１３及び用紙反転ユニット１５と手差しユニット１７との位置合わせを簡単かつ高精度に行うことが可能になるとともに、支軸１４を設けるための部材を別途追加する必要がないため装置構成を簡素化することが可能になる。また、装置本体１の側部に装置運搬用の把手部材（不図示）が取り付けられたものでは、この把手部材に支軸１４を一体に設けることにより、上記同様に装置構成を簡素化することが可能になる。
【００３１】
さらに、用紙反転ユニット１５の構成として、図５に示すように、開閉カバー１３に隣接する側にユニットカバー体２２を区画形成するとともに、このユニットカバー体２２を支軸２３を中心に開閉可能に支持することにより、上述のように用紙反転ユニット１５を開けた状態でユニットカバー体２２を開閉することができる。さらに、反転路Ｒ２上に配置された各々の搬送ロール１６において、回転駆動側となるドライブロール１６Ａと回転従動側となるピンチロール１６Ｂのうち、ピンチロール１６Ｂをユニットカバー体２２に一体に設けることにより、ユニットカバー体２２を開けたときに、ドライブロール１６Ａとピンチロール１６Ｂを分離した状態で反転路Ｒ２を開放することができる。これにより、反転路Ｒ２で用紙詰まりが発生した場合のジャム除去性が良好なものとなる。
【００３２】
ちなみに、反転路Ｒ２を境にしたドライブロール１６Ａとピンチロール１６Ｂの位置関係は、ドライブロール１６Ａとの擦れによる画像の乱れを回避するために、用紙の画像転写面側にピンチロール１６Ｂが接するように設定される。そうした場合、上記従来の課題で記述したように開閉カバー１３と用紙反転ユニット１５とを一体化して一つのユニットとすると、反転路Ｒ２を開放するのにドライブロール１６Ａ側にユニットカバー体を区画形成する必要がある。ただし、ドライブロール１６Ａは駆動源からの動力伝達のためのメカ構成が複雑かつ大掛かりになるため、ユニットカバー体にドライブロール１６Ａを一体に設けることが困難となる。したがって、その場合はドライブロール１６Ａをユニット本体側に残して反転路Ｒ２を開放することになり、良好なジャム除去性が得られない。これに対して、上述のように用紙反転ユニット１５を単独で開閉可能とした場合は、ピンチロール１６Ｂ側にユニットカバー体２２を区画形成し、このユニットカバー体２２と一体にピンチロール１６Ｂを設けた構成を採用できるため、良好なジャム除去性を得るうえで有利になる。
【００３３】
【発明の効果】
以上説明したように本発明に係る画像形成装置によれば、開閉カバーと第１のモジュールユニットを互いに独立に開閉可能に設けるとともに、開閉カバーの開閉支点を装置本体の外形位置よりも外側に設定することにより、開閉カバーと第１のモジュールユニットの開閉操作性を良好に維持しつつ、開閉カバーを開けたときの搬送路の開放度合いを大きくしてジャム除去性を高めることができる。
【図面の簡単な説明】
【図１】本発明の実施形態に係る画像形成装置の構成例を示す概略図である。
【図２】図１に示す画像形成装置の側面概略図である。
【図３】本発明の実施形態に係る画像形成装置のユニット開閉状態を示す図である。
【図４】本発明の実施形態に係る画像形成装置のカバー開閉状態を示す概略図である。
【図５】本発明の実施形態に係る画像形成装置の他のカバー開閉状態を示す概略図である。
【図６】従来の画像形成装置の構成例を示す概略図である。
【図７】従来の画像形成装置のユニット開閉状態とカバー開閉状態を示す概略図である。
【符号の説明】
１…装置本体、１３…開閉カバー、１４…支軸（開閉支点）、１５…用紙反転ユニット、１７…手差しユニット、２０，２１…支持ブラケット
【図１】
2004029271.tif 000003
【図２】
2004029271.tif 000004
【図３】
2004029271.tif 000005
【図４】
2004029271.tif 000006
【図５】
2004029271.tif 000007
【図６】
2004029271.tif 000008
【図７】
2004029271.tif 000009